(57)【特許請求の範囲】
【請求項１】
消防本部に備えられ、緊急車両に災害の発生場所や、災害の状況などを通知する通信指令装置であって、
地図データを記憶する地図記憶手段と、
発生場所を少なくとも含む事案内容を管理する事案管理手段と、
外部と通信する送受信手段と、
前記送受信手段で受信した緊急車両の位置を含む情報を記憶する緊急車両記憶手段と、
前記地図記憶手段に記憶されている前記地図データと、前記地図データ上に事案を示す画像と、前記緊急車両を示す画像を表示する表示手段と、
情報を入力する入力手段と、
上記各手段を制御する制御手段と、
から構成され、
前記制御手段は、前記事案管理手段に管理されている前記事案内容を取得し、前記表示手段に表示している地図上の事案の発生場所に、事案を示す画像を表示させ、
前記制御手段は、前記緊急車両の位置を前記緊急車両記憶手段から取得し、前記表示手段に表示している地図上の前記緊急車両の位置に、前記緊急車両を示す画像を表示させ、
前記入力手段により、事案を示す画像が選択され、緊急車両を示す画像まで移動された場合、
前記制御手段は、同選択された事案を示す画像と同選択された緊急車両を示す画像とを関連付け、前記送受信手段を介して、同選択された事案を示す画像に関連付けられた事案内容を、同選択された緊急車両を示す画像に関連付けられた緊急車両に送信することを特徴とする通信指令装置。
【発明の詳細な説明】
【技術分野】
【０００１】
本発明は、消防本部が、消防や救急などの事案内容を、消防車や救急車などの緊急車両に送信する通信指令装置に関するものである。特に、他の消防本部に所属する緊急車両が応援要請で出動した際、応援要請で出動した緊急車両に、応援先の消防本部が事案内容を送信する通信指令装置である。
【背景技術】
【０００２】
消防や救急などに使われている通信指令装置は、通報者からの通報を受付けた後、消防車や救急車などの緊急車両に対し現場への出動を指示している。その出動を指示する時に、通信指令装置は緊急車両に対して無線を用いて出動指令を送信していた。
【０００３】
従来、このような通信指令装置において、管轄している地域での大規模な災害に対して、管轄内の消防隊員、緊急車両だけでは不足する場合があった。そこで、大規模な災害が発生した地域を管轄する消防本部は、他の地域を管轄する消防本部に対して、消防隊員と緊急車両の出動要請をしていた。そして、大規模な災害が発生した地域を管轄する消防本部は、災害活動の応援を要請した消防隊員や緊急車両を含む形で消防隊の隊編成を行い、隊編成に組まれた緊急車両を管轄する消防本部に出動指令を送信していた。（特許文献１）
【先行技術文献】
【特許文献】
【０００４】
【特許文献１】特開２００９―１３４４９０号公報
【発明の概要】
【発明が解決しようとする課題】
【０００５】
上記に示した特許文献１では、出動した緊急車両は、所属する消防本部に届いた出動指令については知ることができる。しかし、出動指令だけでは火災や救急といった災害種別、災害発生場所の住所、事案対象者の氏名だけである為、現在の災害状況や緊急活動の進捗状況などの情報までは知ることが出来なかった。そこで、出動した緊急車両の消防隊員は現在の状況を把握する為に、災害が発生している場所を管轄する消防本部の署員と、音声による通信を行い災害内容の詳細な内容を取得していた。特に、応援要請で出動した他の地域を管轄する消防本部に所属する緊急車両に乗っている消防隊員は地理的に詳しくないことがある為、災害が発生している場所を管轄する消防本部の署員と、音声による通信を行い災害内容のより詳細な内容を取得する必要があった。その為、消防本部の署員は、音声だけで災害場所や、現在の災害状況などといった災害の詳細な内容を伝達しないといけない為、消防本部の署員の作業負担が多くなっていた。
【０００６】
そこで、本発明は、消防本部の署員が、災害場所へ出動している緊急車両、特に、応援要請で出動した他の地域を管轄する消防本部の消防隊員に対して災害内容の詳細な内容を、作業負担が少なく、また、受け取る側も内容を表示して確認できるように、正確に伝達することを目的とするものである。
【課題を解決するための手段】
【０００７】
上記目的を達成する為に、本発明の通信指令装置は、消防本部に備えられ緊急車両に災害の発生場所や、災害の状況などを通知する通信指令装置であって、地図データを記憶する地図記憶手段と、発生場所を少なくとも含む事案内容を管理する事案管理手段と、外部と通信する送受信手段と、前記送受信手段で受信した緊急車両の位置を含む情報を記憶する緊急車両記憶手段と、前記地図記憶手段に記憶されている前記地図データと、前記地図データ上に事案を示す画像と、前記緊急車両を示す画像を表示する表示手段と、情報を入力する入力手段と、上記各手段を制御する制御手段と、から構成され、前記制御手段は、前記事案管理手段に管理されている前記事案内容を取得し、前記表示手段に表示している地図上の事案の発生場所に、事案を示す画像を表示させ、前記制御手段は、前記緊急車両の位置を前記緊急車両記憶手段から取得し、前記表示手段に表示している地図上の前記緊急車両の位置に、前記緊急車両を示す画像を表示させ、前記入力手段により、事案を示す画像が選択され、緊急車両を示す画像まで移動された場合、前記制御手段は、同選択された事案を示す画像と同選択された緊急車両を示す画像とを関連付け、前記送受信手段を介して、同選択された事案を示す画像に関連付けられた事案内容を、同選択された緊急車両を示す画像に関連付けられた緊急車両に送信するものである。
【発明の効果】
【０００８】
このような通信指令装置によれば、消防本部の消防隊員は少ない作業負担で、正確に、災害に関する詳細な内容を、災害現場に出動した緊急車両、特に、応援要請で出動した他の地域を管轄する消防隊員に対して送信することができる。また、消防本部の署員は、表示されているアイコンを操作するだけなので、緊急車両からの問い合わせが多く来ても、事案内容のアイコンを対応する緊急車両を示すアイコンに移動させるだけで、指定した緊急車両に対して事案内容を送信できるので、送信先を誤るおそれを減らすことができ、操作の手間を省ける。また、応援要請で出動した緊急車両の表示画面に事案内容が表示される為、緊急車両がサイレンなどを鳴らしながら走行している場合でも、緊急車両に搭乗している消防隊員は聞き間違ったり、聞き漏らしたりするおそれが無い。
【図面の簡単な説明】
【０００９】
【図１】本発明の通信指令装置の表示画面である。
【図２】本発明の通信指令装置のシステム構成図である。
【図３】本発明の通信指令装置による事案の送信手順を示すフローチャートである。
【発明を実施するための形態】
【００１０】
図２は、本発明の通信指令装置についてのシステム構成を示した図である。本発明の構成について、図２を基に以下に説明する。
【００１１】
図２に示すように、本発明の通信指令装置は、消防本部１４内の通信装置と、緊急車両１５内の通信装置とから構成されている。消防本部１４内の通信装置は、表示部１と、入力部２と、事案管理部３と、地図記憶部４と、送受信部５と、緊急車両記憶部６と、制御部７とから構成されている。一方、緊急車両１５内の通信装置は、表示部８と、送受信部９と、位置情報取得部１０と、制御部１１とから構成されている。以下に、各構成について説明する。
【００１２】
消防本部１４内の通信装置は、消防署員が通報を受付けたり、緊急車両に指令を送信したりする為のものである。以下に、消防本部１４内の通信装置の構成について説明する。
【００１３】
地図データを表示する表示手段である表示部１は、図１に示すように、その表示している地図上に、災害などの事案を示すアイコン１２を表示したり、緊急車両１５が現在走行中の位置に緊急車両１５を示すアイコン１３を表示したりする表示装置である。
【００１４】
情報を入力する入力手段である入力部２は、消防本部１４の隊員や署員が通信指令装置に情報を入力するための装置であり、例えば、マウスや、キーボードなどが該当する。
【００１５】
事案内容を管理する事案管理手段である事案管理部３は、事案ごとに、火災などの災害種類や、災害発生位置（住所や緯度、経度）や、災害に対する被害状況などの情報を事案番号と関連付けて記憶する装置である。
【００１６】
地図データを記憶する地図記憶手段である地図記憶部４は、電子化された地図データを記憶したものであり、例えば、データサーバである。
【００１７】
緊急車両１５内の通信装置と通信する送受信手段である送受信部５は、消防本部１４が緊急車両１５に対して災害などの事案内容の情報などを送信したり、緊急車両１５が送信した信号を受信したりする為の装置である。
【００１８】
送受信手段で受信した緊急車両１５に関する情報を記憶する緊急車両記憶手段である緊急車両記憶部６は、消防本部１４と通信を行っている緊急車両１５に関する情報を記憶する装置である。記憶する情報としては、緊急車両１５の固有番号や、現在位置情報、動態情報、送信元番号などである。
【００１９】
そして、上記の各手段を制御する制御手段である制御部７は、本発明の通信指令装置の所定の機能を総合的に制御するためのソフトウェアを記録したＨＤＤのような記録媒体や、そのソフトウェアを処理するためのＣＰＵやマイコンなどの処理装置を備え、これと接続された消防本部１４内の各部の制御を行っている。
【００２０】
緊急車両１５は、消防車や救急車である。以下に、緊急車両１５内の通信装置の構成について説明する。
【００２１】
緊急車両１５内にある表示部８は、消防本部１４内にある表示部１と同様に、地図や事案を示すアイコン１２（画像）、緊急車両１５を示すアイコン１３（画像）などの情報を表示する表示装置である。表示装置に表示している地図上に、災害事案を示すアイコン１２を災害発生場所に表示したり、緊急車両１５を示すアイコン１３を緊急車両１５が現在走行中の位置に表示したりする。
【００２２】
緊急車両１５内にある送受信部９は、緊急車両１５内の通信装置が消防本部１４内の通信装置との通信を行う装置である。さらに、本発明においては、緊急車両１５の現在地などの情報を消防本部１４内の通信装置に対して送信する為の装置である。
【００２３】
緊急車両１５内にある位置情報取得部１０は、ＧＰＳやジャイロスコープ、車速センサなどを使用することで、車両の現在位置（緯度と経度）や、車両の進行方向などを求めることが出来る。具体的には、ＧＰＳ受信機を用いることで、ＧＰＳ用人工衛星からの信号を受信して、現在位置を算出している。ジャイロスコープは車両の進行方向を検出するためのセンサである。さらに、車速センサは車両の速度を検出するためのもので、例えばトランスミッションの回転を電気信号に変換して、現在の車両の速度を検出している。基本的には、ＧＰＳを用いて車両の現在位置を求めているが、トンネルなどＧＰＳ信号を受信できない場所では、ジャイロスコープ、車速センサを組み合わせて、車両の現在位置を求めている。
【００２４】
緊急車両１５内にある制御部１１は、本発明の緊急車両１５の所定の機能を総合的に制御するための処理装置を備え、これと接続された緊急車両１５内の各部の制御を行っている。
【００２５】
本発明の通信指令装置は、以上の各構成から成り立っている。以下に、本発明の通信指令装置の表示部１に各アイコンを表示するまでの手順について、説明する。
【００２６】
まず初めに、緊急車両１５を示すアイコン１３（画像）を表示するまでの手順について以下に説明する。本発明の通信指令装置において、位置情報取得部１０が、定期的にＧＰＳやジャイロスコープ、車速センサなどを使用することで、緊急車両１５の現在位置情報を取得する。位置情報取得部１０は、取得した緊急車両１５の現在位置情報を、緊急車両１５内にある制御部１１に出力する。緊急車両１５内にある制御部１１は、入力された緊急車両１５の現在位置情報を緊急車両１５内にある送受信部９に出力する。緊急車両１５内にある送受信部９は、入力された緊急車両１５の現在位置情報を消防本部１４内の通信装置に送信する。送信する際に、緊急車両１５の現在位置情報以外にも、緊急車両１５の固有番号、動態情報なども一緒に送信する。
【００２７】
消防本部１４内にある送受信部５は、受信した緊急車両１５の現在位置情報を、消防本部１４内にある制御部７に出力する。制御部７は、入力された緊急車両１５の現在位置を含む緊急車両１５に関する情報を、緊急車両記憶部６に出力する。緊急車両記憶部６は、入力された緊急車両１５の現在位置を含む緊急車両１５に関する情報を、緊急車両１５の固有番号に関連付けて記憶する。記憶する情報としては、緊急車両１５の現在位置情報以外にも、緊急車両１５の送信元番号や、動態情報なども一緒に緊急車両１５の固有番号に関連付けて記憶する。
【００２８】
また、制御部７は、取得した緊急車両１５の現在位置を消防本部１４内にある表示部１に、入力された緊急車両１５の現在位置情報に対応する地図データ上に、該当する緊急車両１５を示すアイコン１３と該当する緊急車両１５の車両名を表示させる。
【００２９】
事案を示すアイコン１２（画像）を表示するまでの手順について以下に説明する。消防本部１４内にある制御部７は、事案管理部３より災害発生場所を含む事案内容の情報を取得する。そして、制御部７は、表示部１に表示されている地図上の、取得した事案内容の情報に含まれる災害発生場所に事案を示すアイコン１２を表示させる。以上の手順により、消防本部１４内にある表示部１に、図１に示すような事案を示すアイコン１２と緊急車両１５を示すアイコン１３を地図上の適切な位置に表示することが出来る。
【００３０】
次に、本実施例における動作について、図１と図３を基に説明する。図１は、本実施例における表示部１の表示画面を示した図で、図３は本発明の通信指令装置が事案内容を緊急車両１５に送信するまでの手順を示したフローチャートである。なお、本発明を実施する頻度が多いと考えられる、応援要請で出動した緊急車両に事案内容を送信する場合を、本実施例として以下に示す。
【００３１】
本発明の通信指令装置において、消防本部１４内の署員が、応援要請で出動した緊急車両１５内の通信装置に、事案内容を送信する際の手順を以下に示す。図３に示すように、消防本部１４内の署員は入力部２であるマウスを操作し、図１に示すように、表示部１上に表示されている事案を示すアイコン１２をクリックする（ステップS1）。これにより、入力部２より、任意の事案を示すアイコン１２を選択したという情報が入力される。制御部７は、入力部２より入力された、事案を示すアイコン１２が選択されたという情報を取得する。
【００３２】
消防本部１４内の署員は選択した事案内容を送信したい緊急車両１５内の通信装置に送信する為に、図１に示すように、マウスを操作し、選択した事案を示すアイコン１２を応援要請で出動した緊急車両１５を示すアイコン１３まで移動させ、その上に重ねる（ステップS2）。いわゆる、ドラックアンドドロップにより、緊急車両１５を示すアイコン１３と事案を示すアイコン１２を関連付ける。これにより、入力部２は、選択した事案を示すアイコン１２が緊急車両１５を示すアイコン１３に関連付けられたという情報を受け取る。そして、制御部７は、入力部２が受け取った、選択した事案を示すアイコン１２が緊急車両１５を示すアイコン１３に関連付けられたという情報を取得する。
【００３３】
次に、制御部７は、マウスで選択した事案を示すアイコン１２に関連付けられた事案に関する情報（災害発生場所の住所、緯度経度、災害状況など）を、事案管理部３より取得する（ステップS3）。そして、緊急車両１５を示すアイコン１３に関連付けられた緊急車両１５に関する情報（緊急車両番号、送信元番号など）を、緊急車両記憶部６より取得する（ステップS4）。
【００３４】
制御部７は、事案管理部３より取得した事案に関する情報（災害発生場所の住所、緯度経度、災害状況など）と、緊急車両記憶部６より取得した緊急車両１５に関する情報（緊急車両番号、送信元番号など）内に含まれる送信元番号を送受信部５に出力する。送受信部５は、入力された送信元番号を基に、事案に関する情報を送信する送信先を設定する。そして、送受信部５は、設定した送信先である応援要請で出動した緊急車両１５内の通信装置に対して、入力された事案に関する情報を送信する（ステップS5）。
【００３５】
事案に関する情報を受信した緊急車両１５内の通信装置は、制御部１１が送受信部９を介して、受信した事案に関する情報を取得する。そして、制御部１１は、取得した事案に関する情報を基に、表示部８に取得した事案を示すアイコンを、表示画面に表示させる。表示方法としては、表示画面上に表示されている地図上の、事案に関する情報に含まれる災害発生場所（住所や緯度経度）に、事案を示すアイコン１２と、事案に関する情報の一部、例えば火災や救急などの災害種別などをアイコン１２の傍に表示する。これにより、応援要請で出動した緊急車両１５に搭乗している隊員は、表示画面を見るだけで、事案に関する情報と災害発生位置を目視で把握することができる。
【００３６】
なお、本実施例では、表示画面上に事案を示すアイコンと事案に関する情報の一部を表示しているだけであるが、表示だけでなく、災害発生場所までの経路案内を行なっても良い。
【００３７】
なお、本実施例では、応援要請で出動した緊急車両に対して、事案内容を送信する手順を示したが、本発明はこれに限定したものではない。例えば、災害が発生している地域を管轄する消防署所に所属する緊急車両に対しても事案内容を送信しても良い。
【符号の説明】
【００３８】
１  表示部
２  入力部
３  事案管理部
４  地図記憶部
５  送受信部
６  緊急車両記憶部
７  制御部
８  表示部
９  送受信部
１０  位置情報取得部
１１  制御部
１２  事案を示すアイコン
１３  緊急車両を示すアイコン
１４  消防本部
１５  緊急車両
【図１】
0005360014.tif 000002
【図２】
0005360014.tif 000003
【図３】
0005360014.tif 000004